(57)【要約】【課題】  使用者が国による綴りの違いを意識せずに単語を入力することができ、容易に構文等を検索することができる電子辞書の提供。【解決手段】  複数辞書からなる辞書本体データ１５ａと構文検索用データ１５ｂと英語−米語綴り比較テーブル１５ｃとからなる辞書データ記憶手段１５と、文字データを入力する入力手段１２と、抽出手段１１ａにより同一単語における英国綴りと米国綴りの対応関係を照合し、入力手段１２で入力した見出し語が英国綴りか米国綴りかに関わらず、照合手段により異綴りがあると判断された場合は、その異綴りの単語も入力文字列とみなし、該当する連語データを辞書記憶手段して表示手段１４に表示する装置。【選択図】    図１
2006031612.tif 000002
【特許請求の範囲】
【請求項１】
文字データの入力を行う文字入力手段と、各種情報を表示する表示手段と、見出し語に対応した訳からなる複数の辞書本体と前記見出し語に対応した連語データとその訳からなる構文検索用データとを有する辞書記憶手段と、前記文字入力手段で入力された見出し語に対応した前記連語データを前記辞書記憶手段から抽出する抽出手段を介して前記表示手段に表示する電子辞書において、
前記辞書記憶手段が、前記見出し語に対応する異綴り比較テーブルを有する電子辞書。
【請求項２】
前記異綴り比較テーブルが英語綴りと米語綴りを比較する比較テーブルである請求項１記載の電子辞書。
【請求項３】
文字データの入力を行う文字入力手段と、各種情報を表示する表示手段と、見出し語に対応した訳からなる複数の辞書本体と前記見出し語に対応した連語データとその訳からなる構文検索用データとを有する辞書記憶手段と、前記文字入力手段で入力された見出し語に対応した前記連語データを前記辞書記憶手段から抽出する抽出手段を介して前記表示手段に表示する電子辞書において、
同一単語における英国綴りと米国綴りの対応関係を照合する照合手段を備え、前記文字入力手段で入力した見出し語が英国綴りか米国綴りかに関わらず、前記照合手段により別綴りがあると判断された場合は、その別綴りの単語も入力文字列とみなし、該当する連語データを前記辞書記憶手段から抽出する抽出手段を介して前記表示手段に表示する電子辞書。
【請求項４】
前記表示手段に表示された訳語や例文等の文字列の中から任意の文字を選択指定する選択手段と、前記選択手段により選択された文字に対応する前記見出し語を複数の辞書データの中から検索し前記表示手段に表示するジャンプ機能とを有し、選択した単語が英国綴りか米国綴りかに関わらず、前記照合手段により別綴りがあると判断された場合は、その別綴りの単語も該当単語とみなし、前記表示手段に表示する請求項３に記載の電子辞書。
【発明の詳細な説明】
【技術分野】
【０００１】
本発明は入力された語句に対応する訳及び語句に関連する情報等を表示する電子辞書に係り、英和、英英等に代表される語句の集合を有し、例文が存在する辞書データを有する電子辞書に関するものである。
【背景技術】
【０００２】
英和辞典、和英辞典、国語辞典等の種々の辞典の内容を電子データとしてデータベース化し、入力された語句に対応する訳を表示する電子辞書が広く普及している。
【０００３】
この電子辞書では、使用者が目的とする語句を入力することで、対応する単語および成句、例文とその訳を辞書データベースから抽出して、表示するようになっている（例えば特許文献１参照。）。
【０００４】
また、ある１種類の辞書により単語検索して表示された訳語や例文等の文字列の中から、さらに調べたい単語を使用者が任意に選択指定し、同種類かあるいは他の種類の辞書を選択指定して単語検索できるという、いわゆるジャンプ機能を備えているものがある。たとえば、国語辞典を使用して単語検索した結果の訳の文字列から選択された単語が日本語だった場合には国語辞典、和英辞典または漢字字典などにジャンプし、選択された単語が英語であった場合には、英和辞典、英英辞典などにジャンプすることができる。（例えば、特許文献２参照。）。
【特許文献１】特開２００１−１３４５６５号公報
【特許文献２】特開平１１−１８４８５４号公報（第７図）
【発明の開示】
【発明が解決しようとする課題】
【０００５】
電子辞書に収録している辞書の出版社は様々であり、出版社により英国綴りを基本としているものと、米国綴りを基本としているものとがあるため、これらの辞書を同一の電子辞書に収録した場合、例えば英国綴りを入力単語として例文を検索した場合、米国綴りで書かれている辞書からは例文を抽出できない。
また、上記従来のジャンプ機能は選択された単語と同一の文字コード配列を持つ見出し語およびこの単語に対応する訳の内容を画面上に表示するため、選択した単語が英国綴りであった場合、その単語に対応する米国綴りの単語が他辞書に収録されていたとしても、その内容を表示することができなかった。
【０００６】
本発明は、使用者が英国綴りか米国綴りかを意識することなく、容易に例文等の連語データを検索できる電子辞書を提供することを第１の目的とする。
また、選択手段によって選択した単語が別綴りを持っている場合、その単語の内容も表示することができる電子辞書を提供することを第２の目的とする。
【課題を解決するための手段】
【０００７】
上記目的を達成するために、本発明は、文字データの入力を行う文字入力手段と、各種情報を表示する表示手段と、見出し語に対応した訳からなる複数の辞書本体と前記見出し語に対応した連語データとその訳からなる構文検索用データとを有する辞書記憶手段と、前記文字入力手段で入力された見出し語に対応した前記連語データを前記辞書記憶手段から抽出する抽出手段を介して前記表示手段に表示する電子辞書において、前記辞書記憶手段が、前記見出し語に対応する異綴り比較テーブルを有する電子辞書にある。
【０００８】
本発明は、この発明の電子辞書は、文字データの入力を行う文字入力手段と、文字データが表示される表示手段と、見出し語に対応した訳からなる複数の辞書本体と、前記見出し語に対応した連語データとその訳からなる構文検索用データとを有する辞書記憶手段と、前記文字入力手段で入力された見出し語に対応した前記連語データを前記辞書記憶手段から抽出する抽出手段を介して前期表示手段に表示することができる機能を具備する電子辞書において、
同一単語における英国綴りと米国綴りの対応関係を照合する照合手段を備え、前記文字入力手段で入力した見出し語が英国綴りか米国綴りかに関わらず、前記照合手段により別綴りがあると判断された場合は、その別綴りの単語も入力文字列とみなし、該当する前記連語データを前記辞書記憶手段から抽出する抽出手段を介して前期表示手段に表示できる機能を有することを特徴とするものである。
【０００９】
さらに、この発明の電子辞書は、前記表示手段に表示された訳語や例文等の文字列の中から任意の文字を選択指定する選択手段と、前記選択手段により選択された文字に対応する前記見出し語を複数の辞書データの中から検索し前記表示手段に表示するジャンプ機能とを有し、選択した単語が英国綴りか米国綴りかに関わらず、前記照合手段により別綴りがあると判断された場合は、その別綴りの単語も該当単語とみなし、前期表示手段に表示できる機能を有することを特徴とするものである。
【発明の効果】
【００１０】
本発明は、使用者が英国綴りか米国綴りかを意識せずに単語入力でき、例えば英国綴りで単語を入力した場合、同一単語の米国綴りを含む例文も同時に検索することができる。この機能を有することで、検索できる単語や例文等の幅が広がり、国による綴りの違いも知ることができる。
【発明を実施するための最良の形態】
【００１１】
以下、本発明の電子辞書における好適な実施の形態について、図１から図９を参照して詳細に説明する。
図１は、本発明の一実施形態における電子辞書の構成を表したブロック図である。図２は、電子辞書の外観を示す平面図である。
図１に示されるように、電子辞書は、各部の制御を行うと共に、辞書検索を含む本実施形態における連語検索等の各種制御を行う制御部１１を備えている。制御部１１には、入力手段１２、選択手段１３、表示手段１４、ＲＯＭ等の記憶手段で構成される辞書データ記憶手段１５、及びＲＡＭ１６が接続されている。
入力手段１２及び使用機能選択手段１３は、電子辞書を使用する際に各種入力を行うために使用される。
【００１２】
入力手段１２は、図２に示されるように、電源のオンオフを行う電源キー２１、文字を入力するための文字キー２２、訳中の単語を選択するためのジャンプキー２３、選択箇所の移動を行うカーソルキー２４（十字キー）、入力文字を確定させて入力に対する検索結果の表示を指示する訳画面表示キー２５、辞書の種類を選択する辞書選択キー２６を備えている。
【００１３】
使用機能選択手段１３は、図２示されるように、例文や成句を含めた連語の検索を行う構文検索キー２７を備えている。
入力手段１２及び使用機能選択手段１３は、図示しないが、例えば数字を表すテンキー、その他の各種キーを備えている。
表示手段１４は液晶表示手段が使用され、図２における液晶表示画面２８が対応している。表示手段１４には、文字キー２２から入力された文字や単語、及び検索された訳や例文、成句等が表示されるようになっている。
【００１４】
辞書データ記憶手段１５は、電子辞書として訳や語意等を検索するための辞書が格納されており、辞書本体データ１５ａ、構文検索用データ１５ｂ、英国−米国綴り比較テーブル1５cを備えている。本実施形態における辞書データ記憶手段１５としては、ＲＯＭが使用されているが、一部又は全部のデータをコンパクトフラッシュメモリ等の電子辞書から取り外し可能な記憶媒体を使用するようにし、新たな辞書データ等を追加するようにしてもよい。
【００１５】
辞書本体データ１５ａは、本実施形態では、英和、和英、英英及び類語辞書、国語辞典等の各辞書における見出しととその訳、意味、及び例文がある場合には例文を特定するための単語番号が格納されている。例文の内容は構文検索用データ１５ｂに格納されていて、単語番号から例文を構築するようになっている。英国−米国綴り比較テーブル1５ｃは図３に示すように、英国および米国で綴りは違うが、同一の意味として使用される単語を一対一に対応付けたものである。
【００１６】
ＲＡＭ１６は、入力文字や単語に応じて辞書データ記憶手段から抽出した訳や例文等が記憶される文字データ一時記憶手段１６ａ、その他は制御部１１が各種処理を行う際の作業領域として確保されるようになっている。
制御部１１は、ＣＰＵを備えており、図示しないＲＯＭに格納された検索プログラム、抽出プログラム、表示制御プログラム等の各種プログラムを実行することで、各部の制御を行うと共に、辞書検索を含む本実施形態における連語検索等の各種制御を行うようになっている。
【００１７】
なお、制御部１１におけるＣＰＵ、ＲＡＭ１６、及びＲＯＭ（辞書データ記憶手段１５を含む）は、それぞれ独立して存在する構成について説明するが、それぞれを分離せずに１つのチップに纏めたワンチップＣＰＵを使用するようにしてもよい。
制御部１１は、抽出手段１１ａを備えている。
抽出手段１１ａは、辞書検索や、構文検索（連語検索）において、入力された文字や単語に該当する訳や例文等を辞書データ記憶手段１５から抽出し、その内容をＲＡＭ１６の文字データ一時記憶手段１６ａに格納するようになっている。
【００１８】
以上のように構成された電子辞書における構文検索の動作について説明する。
電源キー２１により電子辞書は動作待ち状態になる。この状態で構文検索キー２７がユーザによって選択（押下）されると、制御部１１は構文検索キー２７が選択されたことを検知し図４に示す状態になる。以後文字キー２２から入力される単語に対応する構文検索処理を実行する。
【００１９】
図５は、「color」と入力して例文を検索する場合の画面遷移の状態を表したものである。まず入力単語「color」に異なる綴りがあるかどうかを図３に示す英国-米国綴り比較テーブル１５を介して照合する。この例では、図３において破線枠内３１に示した英国綴り「color」と米国綴り「colour」が同一単語の異綴りとして存在する。従って、図５に示すように、制御部１１は、抽出手段１１ａにより、構文検索用データ１５から「color」または「colour」を含む例文を構築し、その一覧を表示する。
【００２０】
本発明は訳画面中に含まれる単語から他辞書にジャンプしてさらに検索したいときについても応用することができる。図６は辞書選択キー２６の操作により英英辞典を選択し「aster」の訳画面を表示した状態である。ジャンプキー２３を押すと訳中の最初の単語が、点滅、反転などにより他の単語と区別される。これをスクロールキー２４により希望の単語まで移動すると図７に示すように、移動後の単語７１「centre」が区別された状態になる。そして、図７の状態で訳画面表示キー２５を押すと、単語「centre」の異綴りが存在するかどうかを図３に示す英国-米国綴り比較テーブル１５を介して照合する。この例では、図３において破線枠内３２に示した英国綴り「centre」と米国綴り「center」が同一単語の異綴りとして存在する。従って、図８に示すように、ジャンプした単語８１の「centre」、異綴り８２の「center」、などの一覧が表示される。
【００２１】
例えば、異綴り８２の「center」の訳が見たいときはスクロールキー２４により「center」を選択した状態で訳画面表示キー２５を押すと、図９に示すように「center」を見出しとし、その訳の内容が表示される。
【００２２】
次に、電子辞書における構文検索の動作の詳細について図１０のフローチャートに従って説明する。
電源キー２１が入力された状態で、ユーザが構文検索キー２７を選択（押下）すると（ステップ１）、制御部１１は構文検索キー２７が選択されたことを検知し、辞書データ記憶手段１５から構文検索用データを検索対象として選択する（ステップ２）。
そして、ユーザが文字キー２２から文字を入力すると（ステップ３）、制御部１１は抽出手段１１ａにより、文字入力信号を受信し、入力文字（単語）をキーワードとして構文検索用データ１５ｂを検索する（ステップ４）。
【００２３】
そして制御部１１は、入力文字に対応した例文データが存在しない場合（ステップ５；Ｎ）、表示制御手段１１ｂにより、液晶表示画面２８に、該当データが無いことを表示することでユーザに伝達し（ステップ６）、ステップ３に戻る。
【００２４】
一方、入力文字に対応した例文データが構文検索用データ１５ｂに存在する場合（ステップ５；Ｙ）、その入力文字に対応する異綴りの単語が存在するかどうかを英国−米国綴り比較テーブル１５ｃを介して照合し、異綴りの単語が存在しない場合（ステップ７；Ｎ）、制御部１１は抽出手段１１ａにより、入力文字を含む例文データを構文検索用データ１５ｂから抽出し、ＲＡＭ１６に格納する（ステップ８）。入力文字に対応する異綴りの単語が存在する場合（ステップ７；Ｙ）、入力文字またはそれに対応する異綴りの単語を含む例文データを構文検索用データ１５ｂから抽出し、ＲＡＭ１６に格納する（ステップ９）
そして表示制御手段１１ｂは、図５で示したように、表示手段１４（液晶表示画面２８にリスト表示する（ステップ１０）。
次に制御部１１は、訳画面表示キー２５が押下（入力）されたかを監視し、訳画面表示キー２５が入力された場合（ステップ１１；Ｙ）、訳画面表示を行う。すなわち、制御部１１は、例文全体とその訳文を液晶表示画面２８に表示する（ステップ１２）。
【００２５】
その後、制御部１１は、ユーザによって再び構文検索キー２７を選択（押下）、またはユーザが文字キー２２から文字の入力を行う操作がなされるまで、ユーザが別の検索を行うか否かの監視を行う（ステップ１３）。
【００２６】
制御部１１は、ユーザが別の検索を行った、すなわち構文検索キー２７又は文字キー２２が押下された場合（ステップ１３；Ｙ）、ＲＡＭ１６に一時記憶していたデータを消去し（ステップ１４）、その後ステップ３に戻って新たに入力された文字に対する構文検索を行う。
【００２７】
一方、制御部１１は、ユーザが別の検索を行わなかった、すなわち電源キー２１もしくは辞書選択キー２６が押下された場合、またはある一定の時間ユーザが入力を行わなかった場合、（ステップ１３；Ｎ）、構文検索処理を終了する。
【００２８】
以上説明したように、本実施形態の電子辞書によれば、入力文字に対応する英国および米国綴りの単語を含む例文をすべて表示することができるので、例えば英国綴りを基本にしている辞書を収録している場合において、米国綴りで単語入力しても構文を検索することが可能となる。
【００２９】
説明した実施形態では、英国および米国の異綴りについての入力及び構文検索の場合を例に説明したが、英語に限らず、他の外国語や日本語であってもよい。
【図面の簡単な説明】
【００３０】
【図１】本発明の一実施形態における電子辞書の構成を表したブロック図。
【図２】本発明の一実施形態の電子辞書の外観を示す平面図。
【図３】本発明の一実施形態の電子辞書における英国-米国綴り比較テーブルの内容の一部を示す図。
【図４】本発明の一実施形態の電子辞書における表示装置に表示される内容を示す図。
【図５】本発明の一実施形態の電子辞書における表示装置に表示される内容を示す図。
【図６】本発明の一実施形態の電子辞書における表示装置に表示される内容を示す図。
【図７】本発明の一実施形態の電子辞書における表示装置に表示される内容を示す図。
【図８】本発明の一実施形態の電子辞書における表示装置に表示される内容を示す図。
【図９】本発明の一実施形態の電子辞書における表示装置に表示される内容を示す図。
【図１０】本発明の一実施形態の電子辞書における構文検索の動作を表わしたの流れ図。
【符号の説明】
【００３１】
１１  制御部
１１ａ  抽出手段
１２  入力手段
１３  使用機能選択手段
１４  表示手段
１５  辞書データ記憶手段
１５ａ  辞書本体データ
１５ｂ  構文検索用データ
１６  ＲＡＭ
１６ａ  文字データ一時記憶手段
１６ｂ  入力順序一時記憶手段
２１  電源キー
２２  文字キー
２３  ジャンプキー
２４  カーソルキー
２５  訳画面表示キー
２６  辞書選択キー
２７  液晶表示画面
２８  構文検索キー
【図１】
2006031612.tif 000003
【図２】
2006031612.tif 000004
【図３】
2006031612.tif 000005
【図４】
2006031612.tif 000006
【図５】
2006031612.tif 000007
【図６】
2006031612.tif 000008
【図７】
2006031612.tif 000009
【図８】
2006031612.tif 000010
【図９】
2006031612.tif 000011
【図１０】
2006031612.tif 000012